(57)【特許請求の範囲】
【請求項１】
ページングチャネルを用いてページメッセージを基地局から加入者端末装置に送信するＷＬＬシステムにおいて、
前記加入者端末装置は、
電源として通常使用される商用電源入力部と、
商用電源入力部の電源断時に電源として使用されるバッテリと、
前記基地局から受信するページングチャネル監視周期値に基づいてページングチャネル監視周期を設定するページングチャネル監視周期制御手段と、
現在の動作モードが、前記商用電源入力部を電源として動作する商用電源モードおよび前記バッテリを電源として動作するバッテリ動作モードのいずれであるかを判定する電源監視手段と、
前記電源監視手段の判定結果に基づいて、前記基地局側に通知するためのレジストレーションタイプメッセージを生成するレジストレーションタイプメッセージ生成手段と、
前記レジストレーションタイプメッセージを前記基地局へ送信する手段と、
を有し、
前記基地局は、
前記加入者端末装置から受信した前記レジストレーションタイプメッセージに基づいて、当該加入者端末装置の動作モードが商用電源動作モードかバッテリ動作モードかを判断するレジストレーションタイプ監視手段と、
前記加入者端末装置の動作モードがバッテリ動作モードである場合には前記ページングチャネル監視周期値を通常周期値より長く設定し、商用電源動作モードである場合には前記通常周期値に設定するページングチャネル監視周期値生成手段と、
前記ページングチャネル監視周期値生成手段により設定された前記ページングチャネル監視周期値を前記加入者端末装置へ送信する手段と、
を有する、
ことを特徴とするＷＬＬシステム。
【請求項２】
ページングチャネルを用いてページメッセージを基地局から加入者端末装置に送信するＷＬＬシステムにおけるページングチャネル監視周期設定方法において、
前記加入者端末装置には、電源として通常使用される商用電源入力部と商用電源入力部の電源断時に電源として使用されるバッテリとが設けられ、
前記加入者端末装置は、
現在の動作モードが、前記商用電源入力部を電源として動作する商用電源モードおよび前記バッテリを電源として動作するバッテリ動作モードのいずれであるかを判定し、
前記動作モードの判定結果に基づいてレジストレーションタイプメッセージを生成し、
前記レジストレーションタイプメッセージを前記基地局へ送信し、
前記基地局は、
前記加入者端末装置から受信した前記レジストレーションタイプメッセージに基づいて、当該加入者端末装置の動作モードが商用電源動作モードかバッテリ動作モードかを判断し、
前記加入者端末装置の動作モードがバッテリ動作モードである場合にはページングチャネル監視周期値を通常周期値より長く設定し、
前記加入者端末装置の動作モードが商用電源動作モードである場合には前記ページングチャネル監視周期値を前記通常周期値に設定し、
設定されたページングチャネル監視周期値を前記加入者端末装置へ送信し、
前記加入者端末装置は、
前記基地局から受信したページングチャネル監視周期値に基づいてページングチャネル監視周期を設定する、
ことを特徴とするＷＬＬシステムにおけるページングチャネル監視周期設定方法。
【発明の詳細な説明】
【０００１】
【発明の属する技術分野】
本発明は、例えばＣＤＭＡ（Ｃｏｄｅ  Ｄｉｖｉｓｉｏｎ  Ｍｕｌｔｉｐｌｅ  Ａｃｃｅｓｓ）  技術を用いたＷＬＬ（Ｗｉｒｅｌｅｓｓ  Ｌｏｃａｌ  Ｌｏｏｐシステムや移動通信システム等の無線通信システムに関し、詳しくは加入者端末装置等の移動局の電力消費を節約してバッテリ持続時間を延長するための無線通信システムおよび無線通信システムのページングチャネル監視周期設定方法の改良に関する。
【０００２】
【従来の技術】
従来、例えばＣＤＭＡ通信などにおいては、バッテリを電源とする移動局の電力消費削減方法として、ページングチャネルの監視周期を極力少なくした方法が用いられることが一般的である。なお、ＷＬＬシステムにおける加入者端末装置も通常は商用電源動作をしているが、停電時に備えるためバッテリ電源での駆動が可能になっている。
【０００３】
ページングチャネルの監視周期を少なくする方法として、特表平７−５０５０３０号公報（特願平５−５１５８９８号）記載のように、基地局から割り当てられたスロット中のみ活動状態とする方法がある。すなわち、一般にＴＤＭＡ通信方式やＣＤＭＡ通信方式等のデジタル方式の移動体通信においては、移動局のユーザが通信を行わず、基地局からの呼び出しを待つ待ち受け状態では、消費電力の削減を図るため、間欠受信を行っている。
【０００４】
基地局ではページングメッセージのためのチャネルを複数のタイムスロットに時分割し、各タイムスロット毎に特定の移動局に対するページングメッセージを送出している。各タイムスロットは、電話番号等のＩＤをキーにして特定される。これに対応して移動局側では、自機に割当てられたタイムスロットのみを監視するようにし、割当てられたタイムスロット以外の時間は、自装置の不要回路部を低消費電力モードにすることで消費電力を大幅に削減している。
【０００５】
例えば、ＣＤＭＡ方式の仕様例（ＴＩＡ／ＥＩＡ／ＩＳ−９５）では、待ち受け時の間欠受信動作時には、基地局から送信される１６３．８４秒のページング２０４８のタイムスロットに分割され、０から２０４７のスロット番号（ＳＬＯＴ＿ＮＵＭ）が割り振られる。また、基地局からは間欠受信の周期を指定する情報（ＳＬＯＴ＿ＣＹＣＬＥ＿ＩＮＤＥＸ）が移動局に送信される。
【０００６】
各移動局には０から２０４７までのページングスロット番号（ＰＧＳＬＯＴ番号）が割当てられ、自局のＰＧＳＬＯＴ番号に応じて、（ＳＬＯＴ＿ＮＵＭ−自局のＰＧＳＬＯＴ番号）ｍｏｄ（１６×２ＳＬＯＴ  ＣＹＣＬＥ  ＩＮＤＥＸ）＝０、なる条件を満たすタイムスロットにのみ存在する自局宛のページメッセージを受信するように設定される。ＳＬＯＴ＿ＣＹＣＬＥ＿ＩＮＤＥＸ＝０であれば、移動局の間欠受信動作は１６スロット毎の１．２８秒毎に起こる。
【０００７】
また、ページングチャネルの監視周期を更に少なくする方法として特開平１１−１２７１１０号公報（特願平１０−２１０６２２号）記載のように、加入者端末装置の残バッテリを監視し、残バッテリ量に応じてページング周期を指定するスロットサイクルインデックス値を変更していく方法も知られている。基地局との間で割当てられた受信のスロットを間引いた受信タイミングで待ち受け受信を行うようにする技術は、この他、特開平１０−２０９９４３号公報、特開２０００−３２５５６号公報にも開示されている。
【０００８】
上述したような既知方法を用いることにより、効率的にページングチャネルの監視周期を長くして監視時間を少なくすることが可能となり、電力消費削減に効果的である。付言すれば、特開平９−２６１１６７号公報、特開２０００−２７８１６５号公報には、タイムスロットの間引きに依らず移動局の待ち受け時の消費電力を低く抑える技術が開示されている。
【０００９】
ところで、前述したような、受信タイムスロットを減ずる省電力化の方法においては、次のような問題点が考えられる。第１の問題点は、一般に、基地局から送出されるマックススロットサイクルインデックスの値と加入者端末装置のスロットサイクルインデックス値と比較して短い周期の値を加入者端末装置側で選択しているため、例えばバッテリの残量に応じて等によりスロットサイクルインデックス値を変更できるのは、基地局からのマックススロットサイクルインデックス値内での変更にとどまってしまうことである。すなわち、ページングチャネル監視周期を支配しているのは基地局側であって、加入者端末装置側ではその範囲外には制御できない。
【００１０】
また、ＷＬＬシステムの加入者端末装置のように、通常商用電源で動作している加入者端末装置が停電などでバッテリ電源で動作する場合では、そのバッテリ電源の残量でスロットサイクルインデックスの値を決定するのではなく、バッテリ電源が少なくなる前に対応して持続時間を長くする必要がある。このような場合などでは、消費電力の残量等によらずバッテリ電源動作になれば直ちに変更してバッテリ電源を節約したいため、先に挙げた技術では対応できないとの問題点があげられる。
【００１１】
ＷＬＬシステムでは、基地局と加入者端末装置間に例えばＣＤＭＡといった無線技術を用いながらも、エンドユーザからみれば、固定電話網となんら代わりないようなシステム構築が要求される。よって、通常商用電源で動作している時には問題にならないが、停電などによる商用電源断で、バッテリ電源で動作している場合に持続時間が短い場合、致命的なサービス低下を招く。
【００１２】
【発明が解決しようとする課題】
本発明は、上記問題点に対処すべくなされたもので、無線通信システムにおける移動局の電力消費を、従来より更に削減可能な無線通信システムおよびページングチャネル監視周期設定方法（スロットサイクルインデックス値設定方法）を新たに提案することを目的とするものである。また、ＷＬＬシステムにおいて停電などによる商用電源断で、加入局端末装置がバッテリ動作に移行した際に、適切に省電力化してその稼働時間をより長くする技術を提供することも目的としている。
【００１５】
【課題を解決するための手段】
課題解決のため、請求項１に記載の本発明では、ページングチャネルを用いてページメッセージを基地局から加入者端末装置に送信するＷＬＬシステムにおいて、前記加入者端末装置は、電源として通常使用される商用電源入力部と、商用電源入力部の電源断時に電源として使用されるバッテリと、前記基地局から受信するページングチャネル監視周期値に基づいてページングチャネル監視周期を設定するページングチャネル監視周期制御手段と、現在の動作モードが、前記商用電源入力部を電源として動作する商用電源モードおよび前記バッテリを電源として動作するバッテリ動作モードのいずれであるかを判定する電源監視手段と、前記電源監視手段の判定結果に基づいて、前記基地局側に通知するためのレジストレーションタイプメッセージを生成するレジストレーションタイプメッセージ生成手段と、前記レジストレーションタイプメッセージを前記基地局へ送信する手段と、を有し、前記基地局は、前記加入者端末装置から受信した前記レジストレーションタイプメッセージに基づいて、当該加入者端末装置の動作モードが商用電源動作モードかバッテリ動作モードかを判断するレジストレーションタイプ監視手段と、前記加入者端末装置の動作モードがバッテリ動作モードである場合には前記ページングチャネル監視周期値を通常周期値より長く設定し、商用電源動作モードである場合には前記通常周期値に設定するページングチャネル監視周期値生成手段と、前記ページングチャネル監視周期値生成手段により設定された前記ページングチャネル監視周期値を前記加入者端末装置へ送信する手段と、を有する構成とする。
【００１８】
請求項２に記載の本発明では、ページングチャネルを用いてページメッセージを基地局から加入者端末装置に送信するＷＬＬシステムにおけるページングチャネル監視周期設定方法において、前記加入者端末装置には、電源として通常使用される商用電源入力部と商用電源入力部の電源断時に電源として使用されるバッテリとが設けられ、前記加入者端末装置は、現在の動作モードが、前記商用電源入力部を電源として動作する商用電源モードおよび前記バッテリを電源として動作するバッテリ動作モードのいずれであるかを判定し、前記動作モードの判定結果に基づいてレジストレーションタイプメッセージを生成し、前記レジストレーションタイプメッセージを前記基地局へ送信し、前記基地局は、前記加入者端末装置から受信した前記レジストレーションタイプメッセージに基づいて、当該加入者端末装置の動作モードが商用電源動作モードかバッテリ動作モードかを判断し、前記加入者端末装置の動作モードがバッテリ動作モードである場合にはページングチャネル監視周期値を通常周期値より長く設定し、前記加入者端末装置の動作モードが商用電源動作モードである場合には前記ページングチャネル監視周期値を前記通常周期値に設定し、設定されたページングチャネル監視周期値を前記加入者端末装置へ送信し、前記加入者端末装置は、前記基地局から受信したページングチャネル監視周期値に基づいてページングチャネル監視周期を設定するようにする。
【００１９】
【発明の実施の形態】
〔実施例〕以下、本発明の目的、特徴および利点を明確にすべく、実施例を挙げ、添付した図面を参照しながら本発明につき詳細に説明する。実施例では、本発明に係る無線通信システムの例としてＣＤＭＡ方式を用いたＷＬＬシステムを例に、本発明による加入者端末装置（無線通信システムの移動局に相当）がバッテリ電源動作時に省電力動作を行う場合について詳述する。
【００２０】
先ず、ＷＬＬシステム全体について簡単に説明する。図１は、本実施例のＷＬＬシステムの構成図を示すブロック図である。図示システムは、加入者局側の電話（ＴＥＬ）２０１および加入者端末装置２０２と、基地局２０３、加入者端末装置制御装置２０４、交換機２０５、交換機２０５に接続される固定ＴＥＬ（電話）２０６により構成されている。実際には基地局２０３、加入者局、固定ＴＥＬ；２０６は、複数接続されているが図１での図示は省略している。
【００２１】
続いて、本実施例の基地局および加入者端末装置について説明する。図２に、本発明を実現するための付加機能に関連する加入者端末装置および基地局のそれぞれの構成部分を示したブロック図を示す。図２は、本発明に関連の深い部分のみが明示されている。
【００２２】
なお、加入者端末装置（２０２；ＣＤＭＡ送受信機）は、図２では示していないが図示構成部の他にも、既知の送受信アンテナ、アンテナ共用回路と、受信データを抽出する受信回路としての局部発信回路、復調回路、逆拡散符号発生回路、逆拡散回路、分離回路、コーディック回路等を、また、送信データ送信用の送信回路としての速度変換回路、拡散符号発生回路、拡散回路、変調回路、送信アンプ等を含み構成されている。これらの構成部については、例えば特許第２９１４４４４号（「ＣＤＭＡ送受信機」）公報その他に開示されているものと同等なもので良い。
【００２３】
また、基地局２０３は、加入者端末装置制御装置２０４からの送信データを前記加入者端末装置２０２に送信する基地局送信部として、図示しない既知のフレーム組立回路、拡散符号発生回路、乗算器、加算回路、帯域制限フィルタ、Ｄ／Ａ変換回路、搬送波発信回路、ミキサ、合成回路、電力増幅回路を、また、受信部および送受信アンテナ等を含み構成されている。これらの構成部については、例えば特開平９−２６１１６７号公報その他に開示されているものと同等で良い。
【００２４】
先ず、図２にて示す加入者端末装置２０２側の付加機能構成部は、商用電源入力部３０１、バッテリ３０２、電源監視部３０３、レジストレーションタイプ生成部３０４、マックススロットサイクルインデックス値監視部３０５、ページングチャネル監視周期監視制御部３０６である。
【００２５】
電源監視部３０３では、現在加入者端末装置２０２が商用電源で動作しているか、バッテリ３０２で動作しているかを常時あるいは一定間隔で継続的に監視している。
【００２６】
動作モード通知手段としてのレジストレーションタイプ生成部３０４では、加入者端末装置２０２自身の電源モード状態に対応して、レジストレーションタイプを設定する。また、レジストレーションタイプ生成部３０４は、少なくとも省電力モードに移行する際には省電力モードに移行する旨の省電力動作設定通知を、また、少なくとも省電力モードを解除する際には省電力動作解除通知を基地局側に通知する。設定されたレジストレーションタイプは、アクセスチャネルのレジストレーションタイプメッセージとして基地局に図示しない送信回路を介して通知される。このように、加入局側には、省電力動作に移行する際に、このことを基地局側に通知する動作モード通知手段が備えられている。
【００２７】
マックススロットサイクルインデックス値監視部３０５では、基地局２０３からのマックススロットサイクルインデックス値を監視しており、得られた値をページングチャネル監視周期制御部３０６に通知する。ページングチャネル監視周期制御部３０６では、マックススロットサイクルインデックス値設定部３０５から通知される、スロットサイクルインデックス値によりページングチャネル監視周期制御を実行する（周期を設定する）。
【００２８】
一方、同じ図２に示す基地局２０３での付加機能構成部は、レジストレーションタイプ監視部３１１そしてマックススロットサイクルインデックス生成部３１２である。レジストレーションタイプ監視部３１１およびマックススロットサイクルインデックス生成部３１２は、加入者端末装置からの省電力動作設定通知の受信に応じて規定のマックススロットサイクルインデックス値を周期がより長くなるように設定変更し、前記省電力動作解除通知の受信に応じてマックススロットサイクルインデックス値を前記規定のマックススロットサイクルインデックス値に戻すマックススロットサイクルインデックス値設定手段を構成している。
【００２９】
レジストレーションタイプ監視部３１１では、アクセスチャネルで通知される加入者端末装置２０２からの、レジストレーションタイプを監視しており、現在加入者局（加入者端末装置２０２と電話（ＴＥＬ）２０１）が商用電源３０１で動作しているか、バッテリ電源３０２で動作しているかを判別する。
【００３０】
マックススロットサイクルインデックス生成部３１２では、レジストレーションタイプ監視部３１１からの通知を元に、加入者局２０２が商用電源３０１で動作していれば、スロットサイクルインデックス値ｎ（スロットサイクルインデックスｎについては、後述の動作説明にて詳述する）を、例えばｎ＝０すなわち１．２８ｓ周期と設定し、加入者局２０３がバッテリ電源で動作していれば、スロットサイクルインデックス値ｎを例えばｎ＝２すなわち５．１２ｓ周期と設定し、ページングチャネルを用いて加入者局２０２へと通知する。
【００３１】
続いて、本実施例の動作について説明する。図３は、実施例システムでの、スロットサイクルインデックス値の設定過程の一例を示したす、加入者端末装置と基地局間のインタフェースのシーケンスである。
【００３２】
稼働中の基地局２０３は、定常状態（商用電源動作モード）ではページングチャネルを使用して送出されるマックススロットサイクルインデックス値ｎとして、ｎ＝０すなわち、１．２８ｓ周期とする旨をシステムパラメータメッセージによって加入端末装置に送出する（Ｓ１０１）。なお、システムパラメータメッセージを送出する際には、システムパラメータメッセージのシーケンス番号を更新し、新たなパラメータを再送出することを加入者端末装置に通知する。
【００３３】
ここでのページングチャネルとは、トラフィックチャネルが割り当てられる前にシステムパラメータメッセージ、チャネルアサインメントメッセージを送出するチャネルである。
【００３４】
また、スロットサイクルインデックス値ｎは、スロッテッドモードの際に、基地局２０３から送出されるタイミングを指定するものであり、図４の対応表にも示すように、ｎ＝０であれば１．２８ｓ、ｎ＝１であれば２．５６ｓ、ｎ＝２であれば５．１２ｓ、ｎ＝３であれば１０．２４ｓ、ｎ＝４であれば２０．４８ｓ、ｎ＝５であれば４０．９６ｓ、ｎ＝６であれば８１．９２ｓ、ｎ＝７であれば１６３．８４ｓにそれぞれ設定される。
【００３５】
加入者端末装置２０２は、基地局２０３で送出される上記タイミングに一致させて監視を行う必要がある。加入者端末装置２０２側が、基地局２０３からの送出周期よりも早い周期の場合、必要のない時間も監視することとなり、電源の無駄となる。これと逆に、加入者端末装置２０２側が、基地局２０３からの送出周期よりも遅い周期の場合、呼損等が発生してしまう。
【００３６】
定常状態、すなわち商用電源で動作している限り、加入者端末装置側は、たとえば、ｎ＝０すなわち１．２８ｓ周期で動作しているが、ここで停電等が発生し、商用電源が使用できない状態になったとする。ＷＬＬシステムでは、加入者端末装置は、商用電源が使用できない状態になった場合に自動的にバッテリ動作モードに移行する。
【００３７】
ＷＬＬシステムでは、基地局と加入者端末装置間に例えばＣＤＭＡといった無線技術を用いながらも、エンドユーザからみれば、固定電話網となんら代わりないようなシステム構築が要求される。よって、バッテリ電源で動作している場合に持続時間が短い場合、致命的なサービス低下を招く。そこで、待ちうけ時間でのバッテリ消費を節約するために、スロットサイクル値を大きくし、ページングチャネル監視周期を長くしたい。
【００３８】
このため、実施例の加入者端末装置２０２は、自装置がバッテリ動作モードである旨をアクセスチャネルでのレジストレーションメッセージを用いて基地局２０３に対して通知する（Ｓ１０２）。なお、この場合のレジストレーションメッセージは待ちうけ時に、バッテリ動作モードまたは商用電源に状態が変化したときに送出されるようになっている。
【００３９】
レジストレーションメッセージのタイプ内容としては、現在リザーブになっている箇所を利用して例えば図５の説明図に示すように、商用電源動作モード４０１、バッテリ動作モード４０２を図のように、レジストレーションタイプ１０００と１００１にそれぞれ割り当てることとする。
【００４０】
上記バッテリ動作モード通知を含むこのレジストレーションメッセージを受信した基地局２０３側においては、マックススロットサイクルインデックス値を、現在の値（定常時の値；ｎ＝０）から、より大きな値、例えばｎ＝２（すなわち５．１２ｓ周期に相当）に変更して加入者端末装置２０２へ送出する（Ｓ１０３）。
【００４１】
この場合のｎの値は、あまり大きくすると、加入者局への着呼が遅くなる、あるいは呼損となる不都合が生じるため、加入者制御装置２０４や交換機２０５での待ちうけタイマ、さらにはシステム全体の着呼時間を考慮した値となるように設定する。
【００４２】
加入者端末装置２０２側は、ページングチャネルを用いてこの新たなマックススロットサイクルインデックス値情報を受信し、自装置のサイクルインデックス値をマックススロットサイクルインデックス値に変更して、以降のページングチャネルを対応した周期で監視する。実施例では、ｎ＝２（５．１２ｓ周期）で動作する。
【００４３】
そして商用電源の不都合が解消された場合には、加入者端末装置２０２はこれを検出して商用電源動作モードに復旧し、商用電源動作モードに移行した旨をアクセスチャネルでのレジストレーションメッセージを用いて基地局２０３に対して通知する（Ｓ１０４）。
【００４４】
基地局２０３側では、この通知に応動してマックススロットサイクルインデックス値を、定常時の値であるｎ＝０すなわち１．２８ｓ周期に変更（戻す）して加入者端末装置２０２へ送出し（Ｓ１０５）、再びスロットサイクル１．２８ｓ周期で動作する。加入者端末装置２０２はこれに対応して自装置のサイクルインデックス値をマックススロットサイクルインデックス値に変更して、ｎ＝０すなわち１．２８ｓ周期で動作する。
【００４５】
このようにして、実施例のＷＬＬシステムでは、加入者端末装置がバッテリ動作モード時には、スロットサイクル周期を延ばした動作となり加入者端末装置での電力消費が抑制される。
【００４６】
以上の説明ではＷＬＬシステムを例として本発明について説明したが、本発明はＷＬＬシステムに限らず、実施例での加入者局に替えて移動端末装置（移動局）の一般的な無線システム場合に対しても応用可能である。
【００４７】
すなわち、移動局の消費電力を削減しバッテリ電源を長持ちさせたい場合、移動端末装置側の設定操作によって、前述した実施例の場合と同様に基地局２０３側へ節電したい旨のメッセージを通知可能に構成し、基地局側ではこのメッセージに応じた処理をするように構成することで、実施例と同様に移動局のスロットサイクルインデックス値を変更することで、スロットサイクルを従来よりさらに長周期に設定して節電効果を高めることができ、バッテリー動作時間の一層の延長が図れる。
【００４８】
本発明のぺージングチャネル監視周期設定方法（スロットサイクルインデックス値設定方法）は、上記実施例の説明から明らかなように、無線通信システム（ＷＬＬシステムを含む）において、移動局（加入者端末装置）が、少なくとも省電力モードに移行する際には省電力モードに移行する旨の省電力動作設定通知を、また、少なくとも省電力モードを解除する際には省電力動作解除通知を基地局側に通知し、基地局は、前記省電力動作設定通知の受信に応じて規定のマックススロットサイクルインデックス値を周期がより長くなるように設定変更し、前記省電力動作解除通知の受信に応じてマックススロットサイクルインデックス値を前記規定マックススロットサイクルインデックス値に戻し、前記移動局では、基地局から送出されるマックススロットサイクルインデックス値に基づいてページングチャネル監視周期を設定することを特徴とするもので、これにより移動局（加入者端末装置）の消費電力を削減してバッテリー動作時間の延長が図れる。
【００４９】
特に、本発明によるＷＬＬシステムにおけるページングチャネル監視周期設定方法では、加入者端末装置が、ページングチャネル監視周期設定部により基地局から送出されるマックススロットサイクルインデックス値に基づいてページングチャネル監視周期を設定し、また、自装置の現在の動作モードが商用電源モードか、バッテリ動作モードかを電源監視部で判定し、この電源監視部部の判定結果をレジストレーションタイプ生成部によりアクセスチャネルのレジストレーションタイプメッセージを用いて前記基地局側に通知し、前記基地局が、レジストレーションタイプ監視部で、受信した前記加入者端末装置からのレジストレーションタイプメッセージに基づいて当該加入者端末装置が商用電源動作モードかバッテリ動作モードかを判断し、マックススロットサイクルインデックス生成部で、加入者端末装置の動作モードがバッテリ動作モードである場合には規定のマックススロットサイクルインデックス値を周期が長くなるように設定変更し、加入者端末装置の動作モードが商用電源動作モードである場合にはマックススロットサイクルインデックス値を前記規定のマックススロットサイクルインデックス値に戻すようにすることを特徴とするもので、これによりＷＬＬシステム加入者端末装置の消費電力を削減してバッテリー動作時間の延長が図れる。
【００５０】
なお、本発明のシステムおよび方法は、上述した実施例に限定されるものでなく、本発明の技術思想の範囲内において、各部を適宜変更して広範なシステムに応用され得ることは明らかである。
【００５１】
【発明の効果】
以上説明したように本願発明によれば、無線システムにおいて、略記すれば移動局が省電力モードに移行する際にまたた省電力モードに復帰する際にそれぞれその旨の通知を、アクセスチャネルのレジストレーションタイプメッセージを用いて基地局に通知し、基地局ではこの通知に応じて規定のマックススロットサイクルインデックス値を周期が長くなるように変更し或いは規定値に戻すようにしたので、移動局の電力消費を、従来より更に削減可能な無線通信システムが得られる効果がある。
【００５２】
また、ＷＬＬシステムにおいて、加入局端末装置での電源が商用電源か、バッテリ電源かを監視し、その状態を基地局側に通知しマックススロットサイクルインデックス値を変更するようにしたので、停電などにより加入局端末装置がバッテリ動作に移行した際に、加入局端末装置の電力消費削減を実現して停電時の性能向上が図れＷＬＬシステムのサービス向上に貢献できる。
【図面の簡単な説明】
【図１】本発明の実施例であるＷＬＬシステムを説明する構成図である。
【図２】本発明に係る加入者端末装置および加入局での付加機能構成部分を明示したブロック図である。
【図３】実施例におけるスロットサイクルインデックスの設定過程を示した、加入者端末装置と基地局とのインタフェースのシーケンスである。
【図４】実施例システムにおける、スロットサイクルインデックス値と送出スロットのタイミングの対応表である。
【図５】レジストレーションメッセージ内のレジストレーションタイプの一例を示す説明図である。
【符号の説明】
２０１…ＴＥＬ
２０２…加入者端末装置（移動局）
２０３…基地局
２０４…加入者端末装置制御装置
２０５…交換機
２０６…ＴＥＬ
３０１…商用電源入力部
３０２…バッテリ
３０３…電源監視部
３０４…レジストレーションタイプ生成部
３０５…マックススロットサイクルインデックス値監視部
３０６…ページングチャネル監視周期監視制御部
３１１…レジストレーションタイプ監視部
３１２…マックススロットサイクルインデックス生成部
（４０１）…商用電源モード
（４０２）…バッテリモード
（Ｓ１０１）…（基地局から加入者端末装置への）システムパラメータメッセージ；マックススロットサイクルインデックス＝０の通知処理
（Ｓ１０２）…（加入者端末装置から基地局への）レジストレーションメッセージ；レジストレーションタイプ＝バッテリ動作モードの通知処理
（Ｓ１０３）…（基地局から加入者端末装置への）システムパラメータメッセージ；マックススロットサイクルインデックス＝２の通知処理
（Ｓ１０４）…（加入者端末装置から基地局への）レジストレーションメッセージ；レジストレーションタイプ＝商用電源動作モードの通知処理
（Ｓ１０５）…（基地局から加入者端末装置への）システムパラメータメッセージ；マックススロットサイクルインデックス＝０の通知処理
【図１】
0003617470.tif 000002
【図２】
0003617470.tif 000003
【図３】
0003617470.tif 000004
【図４】
0003617470.tif 000005
【図５】
0003617470.tif 000006